(57)【要約】【課題】簡易な構造で且つ火気を使用せず、金網に設けた開口部等への転落事故を防止することで安全を確保する簡易スタンションを提供する点にある。【解決手段】垂直方向に軸状に伸びる上側筒体５と、上側筒体５より下方に離間した状態で連結部材により上側筒体５に連結されるとともに下端に略水平底面を有する接地部６Ａを備えた下側筒体６とよりなるスタンション本体２と、スタンション本体２の内部で垂直方向に軸状に伸び、雄螺子部を有する上下移動用螺子軸１１と、上下移動用螺子軸１１の下側に連結されるフック４と、上側筒体５と下側筒体６との間に軸方向が略水平となる状態で取り付けられるピン部材８を有し、スタンション本体２に回動自在に設けられる操作部３と、上下移動用螺子軸１１に螺合し、ピン部材８に取り付けられた螺子部材１０とを備えた。【選択図】図２
2010018991.tif 000002
【特許請求の範囲】
【請求項１】
垂直方向に軸状に伸びる上側筒体と、該上側筒体より下方に離間した状態で連結部材により前記上側筒体に連結されるとともに下端に略水平底面を有する接地部を備えた下側筒体とよりなるスタンション本体と、
該スタンション本体の内部で垂直方向に軸状に伸び、雄螺子部を有する上下移動用螺子軸と、
該上下移動用螺子軸の下側に連結されるフックと、
前記上側筒体と前記下側筒体との間に軸方向が略水平となる状態で取り付けられるピン部材を有し、前記スタンション本体に回動自在に設けられる操作部と、
前記上下移動用螺子軸に螺合し、前記ピン部材に取り付けられた螺子部材とを備え、
前記操作部を回転させることで前記フックが垂直方向において上下移動することを特徴とする簡易スタンション。
【請求項２】
胴とその長手方向における両端に螺合した２本の軸とを備え、胴の回転により長さ調整可能なターンバックルを前記スタンション本体の内部に長手方向が垂直になる状態で設け、前記２本の軸のうち上側に位置する上軸を前記スタンション本体に回転不能に係合し、下側に位置する下軸に前記フックを設けるとともに、胴に前記ピン部材を挿通させてなる請求項１記載の簡易スタンション。
【発明の詳細な説明】
【技術分野】
【０００１】
本発明は、例えば建築現場や工場における床面の開口部等に設置して、作業者の安全を確保する簡易スタンションに関するものであり、より詳しくは、エキスパンドメタルなどの金網等にも取り付けることができる簡易スタンションに関するものである。
【背景技術】
【０００２】
従来、床面の開口部を閉鎖するものとして、一端部に手摺が取り付けられ、他端側には複数個のピン挿通孔が軸線方向に適宜間隔をおいて設けられた支柱と、この支柱の他端側に相対摺動自在に嵌装されて周面に軸線方向に長い長孔を有すると共に外周面には雄螺子が形成された螺子管と、前記螺子管に設けられた第１の挟持体と、前記支柱の他端部に取付けられた前記第１の挟持体と共に構造物を挟持する第２の挟持体と、前記ピン挿通孔のいずれか一つに選択的に挿通されてその端部が前記長孔に挿入されるピンと、前記螺子管に螺合され前記ピンを前記長孔に沿って移動させるナット部材とを備えたことを特徴とする落下防護用仮設備がある（例えば、特許文献１）。
【０００３】
特許文献１のものは、上記構成により、開口部を有する構造物に対して取り付けることで作業者の落下等の事故を防止することができる。
【０００４】
【特許文献１】実開平４−４８３６０号公報
【発明の開示】
【発明が解決しようとする課題】
【０００５】
ここで、一般に工場などで簡易通路の設置にエキスパンドメタル等の金網を床板材として使用する場合がある。また、吊り下げ式の搬送ラインのメンテナンスでは部品等の落下防止のために搬送チェーンの下方に金網を張る場合もある。これらの場合、作業者はこの金網の上を通行することもあるため、この金網に開口部を設けたときには床面と同様に落下防止用仮設備等を設置して安全を確保する必要がある。
【０００６】
しかしながら、特許文献１のものは、第１の挟持体及び第２の挟持体で構造物を挟持するものであるため、金網、例えばエキスパンドメタルを第１の挟持体及び第２挟持体で挟持しても金網の開口部周辺には落下防止用仮設備等の支柱を垂直に支持する十分な強度がなく安全を確保することができず、金網の開口部には使用できなかった。
その為、金網の開口部にはセーフティコーンを使用したり、アングル材を溶接したりして安全確保を図っていたが、セーフティコーンは固定せず、十分な安全を確保できないという問題があり、また、アングル材の溶接は、溶接作業自体が手間がかかるものであるうえ、火気使用による付帯作業（例えば残火確認）が必要となり、経費が嵩むという問題があった。
【０００７】
そこで、本発明が解決しようとするものは、簡易な構造で且つ火気を使用せず、金網などに取り付けることができ、床部等に設けた開口部への転落事故を防止することで作業者の安全を確保する簡易スタンションを提供する点にある。
【課題を解決するための手段】
【０００８】
上述の課題を解決するために、本発明に係る簡易スタンションは、垂直方向に軸状に伸びる上側筒体と、該上側筒体より下方に離間した状態で連結部材により前記上側筒体に連結されるとともに下端に略水平底面を有する接地部を備えた下側筒体とよりなるスタンション本体と、該スタンション本体の内部で垂直方向に軸状に伸び、雄螺子部を有する上下移動用螺子軸と、該上下移動用螺子軸の下側に連結されるフックと、前記上側筒体と前記下側筒体との間に軸方向が略水平となる状態で取り付けられるピン部材を有し、前記スタンション本体に回動自在に設けられる操作部と、前記上下移動用螺子軸に螺合し、前記ピン部材に取り付けられた螺子部材とを備え、前記操作部を回転させることで前記フックが垂直方向において上下移動することを特徴とするものである。
【０００９】
ここで、胴とその長手方向における両端に螺合した２本の軸とを備え、胴の回転により長さ調整可能なターンバックルを前記スタンション本体の内部に長手方向が垂直になる状態で設け、前記２本の軸のうち上側に位置する上軸を前記スタンション本体に回転不能に係合し、下側に位置する下軸に前記フックを設けるとともに、胴に前記ピン部材を挿通させてなると好ましい。
【発明の効果】
【００１０】
本発明に係る簡易スタンションによれば、フックを金網に掛止して金網を上方に吊り上げるとともに、スタンション本体の接地部を金網に押圧するため、スタンション本体を安定して支持することができ、結果、ロープで複数の簡易スタンションを結紐すること等により作業者の開口部への転落を防止して安全を確保することができる。
また、溶接及び火気を使用せず取り付けることで、残火確認等の付帯作業も必要とせず、容易に、且つ無駄なコストかけずに金網に取り付けることができる。
【００１１】
また、胴とその長手方向における両端に螺合した２本の軸とを備え、胴の回転により長さ調整可能なターンバックルを前記スタンション本体の内部に長手方向が垂直になる状態で設け、前記２本の軸のうち上側に位置する上軸を前記スタンション本体に回転不能に係合し、下側に位置する下軸に前記フックを設けるとともに、胴に前記ピン部材を挿通させてなるものによれば、ターンバックルにより、操作部の回転に対してのフックの上下移動効率が良く、迅速に取付及び取外し作業を行うことができる。
【発明を実施するための最良の形態】
【００１２】
次に、本発明の実施形態を添付図面に基づいて説明するが、本発明は添付図面に示された形態に限定されず、特許請求の範囲に記載の要件を満たす実施形態の全てを含むものである。
【００１３】
図１〜図５は第１実施形態に係る簡易スタンション１の構成を示す説明図、図６は第２実施形態に係る簡易スタンション１Ａの構成を示す説明図であって、図１は第１実施形態に係る簡易スタンション１の構成を示す斜視図、図２は同じく構成を示す説明図であり、（ａ）は右側面断面図、（ｂ）は正面断面図、図３は第１実施形態に係る簡易スタンション１のフック４を最下位置へ移動した状態の構成を示す説明図であり、（ａ）は右側面断面図、（ｂ）は正面断面図、図４は第１実施形態に係る簡易スタンション１に係る簡易スタンション１の使用状態を示す斜視図、図５は別の使用状態を示す斜視図、図６は第２実施形態の構成を示す説明図であり、（ａ）は右側面断面図、（ｂ）は正面断面図である。
【００１４】
図１及び図２に示すように、第１実施形態に係る簡易スタンション１は、下端に接地部６Ａを有するスタンション本体２に回転自在に操作部３を有するとともに、取付側の床面又は金網Ｎに掛止するフック４を有する。操作部３を回転させると、ピン部材８がこれに係合する螺子部材１０であるターンバックル７の胴７Ｂを上下方向移動不能状態で回転し、胴７Ｂに螺合する上下移動用螺子軸１１を有する上軸７Ａ及び下軸７Ｃを介してフック４が上下移動する。
【００１５】
スタンション本体２は、垂直方向に軸状に伸びる上側筒体５と、この上側筒体５から下方に離間して連結部材６Ｂによって連結される下側筒体６によりなる。第１実施形態に係る簡易スタンション１の設置状態において、上側筒体５は垂直に立設され、作業者の進入を防ぐロープＲなどを張るための支柱となる。このため、上側筒体５は実施形態に示すような円筒体に限らず、垂直に一定の長さを有する形状であればよく、例えばロープＲを係止するために単又は複数の段差等の係止部を設けたものや、長さや形状を使用場所や目的に応じて変更できるものであってもよい。下側筒体６は、設置状態において略水平板体とする接地部６Ａを下端に有し、簡易スタンション１を略垂直に支持する。上側筒体５と下側筒体６は、下側筒体６に設けた連結部材６Ｂを上側筒体５に螺子９で螺合することにより連結されている。この連結状態において、上側筒体５と下側筒体６は垂直方向に離間しており、この離間した部分を覆うようにして円筒状の操作部３が設けられている。
【００１６】
操作部３は、円筒状であって、スタンション本体２に回動自在に設けられ、筒内に略直径方向にピン部材８を有している。操作部３を回転させるとスタンション本体２内に設けられた上下移動用螺子軸１１である上軸７Ａ及び下軸７Ｃが、ピン部材８に係合するターンバックル７の胴７Ｂの回転により上下移動する。これにより、下軸７Ｃの下端に設けられた金網掛止用のフック４も上下移動する。
【００１７】
フック４は、側面視において略Ｃ字状であり、スタンション本体２の内側に位置するターンバックル７の下軸７Ｃの下端に設けられている。そのため、操作部３を一方に回転させると、操作部３内のピン部材８を介してターンバックル７の胴７Ｂが回転し、ターンバックル７の全長が伸長して、ターンバックル７の下軸７Ｃの下端に設けられたフック４は下方に移動する。また、操作部３を他方に回転させると、ピン部材８を介してターンバックル７の胴７Ｂが逆回転し、ターンバックル７の全長が短縮してフック４は上方に移動する。
ここで、フック４の上下可動範囲における最下位置では下軸７Ｃに設けたフック４の全てが接地部６Ａよりも下方に位置し、最上位置ではフック４が接地部６Ａよりも上方に位置する。この為、フック４を金網Ｎに係止させて簡易スタンション１を接地することができるとともに、未設置時にはフック４を接地部６Ａよりも上方に位置させてスタンション本体２の内部に収納することで、床面に簡易スタンション１を立たせておくことができ、収納時や運搬時、又は取付時において便利である。
【００１８】
ターンバックル７は、長手方向の両端に螺子孔を設けた胴７Ｂの螺子孔に上軸７Ａ及び下軸７Ｃを螺合して構成するとともに、長手方向を垂直となるようにスタンション本体２の内部に取り付けられている。上軸７Ａは略Ｏ字状の係止部を有し、下軸７Ｃは略Ｃ字状の係止部を有している。上軸７Ａの略Ｏ字状の係止部は上側筒体５に貫通する螺子９を係止部に挿通することにより上側筒体５に対して回転不能に上側筒体５に取り付ける。また、胴７Ｂは操作部３に貫通するとともに上側筒体５を下側筒体６との離間部に位置するピン部材８により回転不能に操作部３に取り付ける。これにより、フック４を設置予定の金網Ｎに引っ掛けて操作部３を一方向に回転させると上軸７Ａ、下軸７Ｃを回転不能とした状態で胴７Ｂを回転させることとなるため、ターンバックル７の全長が短くなることでフック４が上方へ移動し、金網Ｎに簡易スタンション１を設置することができる。ターンバックル７は多種多様に市販されているため、これらを適宜選択することで使用場所及び目的に対応させることができる。
【００１９】
次に、第１実施形態に係る簡易スタンション１の金網（エキスパンドメタル）Ｎへの取付方法について説明する。
【００２０】
まず、図３に示すように、第１実施形態に係る簡易スタンション１の操作部３を回転させ、フック４を接地部６Ａよりも下方に位置させる。このとき、フック４の先端４ＡをエキスパンドメタルＮに引っ掛ける必要があるため、フック４の先端４Ａを接地部６Ａよりも相当に下方に位置させ、エキスパンドメタルＮに引っ掛けやすいようにしておく。この状態でフック４をエキスパンドメタルＮに引っ掛ける。
次に操作部３を回転させ、フック４を上方へ移動させる。フック４が上方へ移動するとフック４がエキスバンドメタルＮを吊り上げるとともに、接地部６ＡがエキスパンドメタルＮに密着する。この状態において、フック４がエキスパンドメタルＮを上方へ引っ張る力に応じて、接地部６ＡがエキスパンドメタルＮに押圧することとなり、相応の力によって簡易スタンション１を垂直状態で支持することができる。同様にしてエキスパンドメタルＮの開口部Ｈを囲むように複数の簡易スタンション１を設置し、各簡易スタンション１に適当な高さでロープを括って作業者が開口部Ｈに転落しないようにすることで作業現場における安全を確保する。
【００２１】
また、図５に示すように、柵の一部に開口部Ｈが存在する場合にも、開口部Ｈ周囲に簡易スタンション１を設置し、開口部Ｈ以外の柵と簡易スタンション１をロープＲなどで括ることで上記同様に安全を確保することができる。
さらに、図４及び図５に示すように、第１実施形態に係る簡易スタンション１は、開口部Ｈだけでなく転落の危険性の高い開口部Ｈ周辺も適宜判断して作業者が立ち入らないようにすることができ、開口部の枠に沿って設置する他のスタンションよりも高い安全性を確保することができる。
なお、第１実施形態に係る簡易スタンション１を取り外す場合には、操作部３を取付時と逆方向に回転させ、フック４を下方へ移動させることでフック４のエキスパンドメタルＮへの係止を解除すればよい。
【００２２】
この第１実施形態に係る簡易スタンション１の取り付け及び取り外し作業において、操作部３を回転させると回転不能状態にある上軸７Ａ及び下軸７Ｃの２軸を連結する胴７Ｂを回転させることとなり、例えば第２実施形態に係る簡易スタンション１Ａ（図６（ａ）及び（ｂ））のように操作部３の内部に螺子部材１０を設けてスタンション本体２の上下移動用螺子軸１１を設けた操作部３を回転させることでフック４を上下移動させるものと比較すると、フック４の上下方向の移動距離が約２倍となるため、より簡便なものとなっているが、第２実施形態に係る簡易スタンション１Ａであれば、ターンバックル７を用いる必要がなく、より簡易な構造であって安価に製造することができる。第２実施形態に係る簡易スタンション１Ａのその他の構成については、上記第１実施形態と同様であり、同一構造については同一の符号を付してその説明を省略する。
【００２３】
なお、第１実施形態に係る簡易スタンション１においては、図示するように、上軸に略Ｏ型の係止部、下軸に略Ｃ型の係止部を設けたターンバックルを使用したが、これに限らず、胴の回転に応じて全長が伸縮するものであればよく、例えば、上軸、下軸の何れか、又は上軸及び下軸の何れも取り外し可能であるものであってもよく、特に下軸を取り外し可能としたものであればフックが破損した場合等のメンテナンスが容易であるとともに、取付予定の金網の形状に応じてフックを変更することもできる。
また、第１実施形態及び第２実施形態に係る簡易スタンション１、１Ａにおいては、操作部に回転防止機能を設けてもよく、回転防止機能があれば、取り付けた状態、又はフックをスタンション本体内に収納した状態で操作部を回転防止状態とすることでフックの上下位置を固定することができ、より安定して使用すること、収納又は運搬することができる。
【図面の簡単な説明】
【００２４】
【図１】第１実施形態に係る簡易スタンションの構成を示す斜視図である。
【図２】第１実施形態に係る簡易スタンションの構成を示す説明図であり、（ａ）は右側面断面図、（ｂ）は正面断面図である。
【図３】第１実施形態に係る簡易スタンションのフックが最下位置にある状態を示す説明図であり、（ａ）は右側面断面図、（ｂ）は正面断面図である。
【図４】第１実施形態に係る簡易スタンションの使用状態を示す斜視図である。
【図５】第１実施形態に係る簡易スタンションの他の使用状態を示す斜視図である。
【図６】第２実施形態に係る簡易スタンションの構成を示す説明図であり、（ａ）は右側面断面図、（ｂ）は正面断面図である。
【符号の説明】
【００２５】
１     簡易スタンション
２     スタンション本体
３     操作部
４     フック
４Ａ   先端
５     上側筒体
６     下側筒体
６Ａ   接地部
６Ｂ   連結部材
７     ターンバックル
７Ａ   上軸
７Ｂ   胴
７Ｃ   下軸
８     ピン部材
９     螺子
１０   螺子部材
１１   上下移動用螺子軸
Ｈ     開口部
Ｎ     金網（エキスパンドメタル）
Ｒ     ロープ
【図１】
2010018991.tif 000003
【図２】
2010018991.tif 000004
【図３】
2010018991.tif 000005
【図４】
2010018991.tif 000006
【図５】
2010018991.tif 000007
【図６】
2010018991.tif 000008